(57)【要約】【課題】本発明は、簡単な構造でありながら、外用貼付剤としての繰り返しの使用に供することができる新規な支持体構造を提供することを目的とする。【解決手段】  皮膚表面に貼付されて使用される外用貼付剤１０の支持体構造１として、一枚の織布２からなり、前記織布２の外縁に沿って、かがり縫いによる布端部始末３が施されてなるものとする。【選択図】図１
2020065628.tif 000002
【特許請求の範囲】
【請求項１】
皮膚表面に貼付されて使用される外用貼付剤の支持体構造であって、
一枚の織布からなり、
前記織布の外縁に沿って、かがり縫いによる布端部始末が施されてなることを特徴とする支持体構造。
【請求項２】
請求項１に記載の支持体構造において、
前記布端部始末によって、前記織布に波うちが生じてなる支持体構造。
【請求項３】
請求項２に記載の支持体構造において、
前記織布の外縁が、１０５〜１４０％引き伸ばされた状態となるように前記布端部始末が施されてなる支持体構造。
【請求項４】
請求項２に記載の支持体構造において、
前記織布の外縁が、７０〜９５％縫い縮められた状態となるように前記布端部始末が施されてなる支持体構造。
【発明の詳細な説明】
【技術分野】
【０００１】
本発明は、皮膚表面に貼着されて使用される外用貼付剤の支持体構造に関する。
【背景技術】
【０００２】
外用貼付剤は、皮膚表面に貼付されることによって、皮膚表面に冷感や温感を与えたり、前記基剤層中に含まれる有効成分を経皮吸収的に投与したりするものである。
【０００３】
前記外用貼付剤としては、不織布、樹脂シート又は樹脂フィルムからなるシート状の支持体に乳液状の基剤を含侵させたものや、前記支持体の片面にクリーム状、軟膏状、或いはゲル状の基剤層が積層されたものが一般的である。現在、この種の外用貼付剤は、使い捨ての使用形態が主流となっている。
【０００４】
この点につき、下記特許文献１では、洗浄により、繰り返して使用できる布製（綿素材）のフェイスマスクを提案している。
【先行技術文献】
【特許文献】
【０００５】
【特許文献１】特開２０１０‐１３７０３６号公報
【発明の概要】
【発明が解決しようとする課題】
【０００６】
前記特許文献１のフェイスマスクでは、顔面を覆うための立体形状を付与するために、複数の布体をつなぎ合わせている。又、繰り返しの使用に耐え得る強度を付与するために、支持体を表布と裏布の二重構造にしたり、表布と裏布との間に芯地をはさんだりしている。そのため、前記特許文献１のフェイスマスクを製造するにあたっては、多くの製造工程を経る必要があった。
【０００７】
本発明は前記技術的課題に鑑みて開発されたものであり、簡単な構造でありながら、外用貼付剤としての繰り返しの使用に供することができる新規な支持体構造を提供することを目的とする。
【課題を解決するための手段】
【０００８】
前記技術的課題を解決するための本発明の支持体構造は、皮膚表面に貼付されて使用される外用貼付剤の支持体構造であって、一枚の織布からなり、前記織布の外縁に沿って、かがり縫いによる布端部始末が施されてなることを特徴とする（以下、「本発明支持体構造」と称する。）。
【０００９】
前記本発明支持体構造においては、前記布端部始末によって、前記織布に波うちが生じてなるものが好ましい態様となる。
【００１０】
前記本発明支持体構造においては、前記織布の外縁が、１０５〜１４０％引き伸ばされた状態となるように前記布端部始末が施されてなるものが好ましい態様となる。
【００１１】
前記本発明支持体構造においては、前記織布の外縁が、７０〜９５％縫い縮められた状態となるように前記布端部始末が施されてなるものが好ましい態様となる。
【発明の効果】
【００１２】
本発明支持体構造によれば、繰り返しの使用に供することができる外用貼付剤を提供することができる。
【図面の簡単な説明】
【００１３】
【図１】図１（ａ）は、本発明支持体構造の一実施形態を示す斜視図（ａ）と、正面図（ｂ）である。
【図２】図２は、前記本発明支持体構造の繰り返しの使用態様を示すフロー図である。視図である。
【図３】図３（ａ）は、前記本発明支持体構造の包装形態例を示す斜視図であり、図３（ｂ）は、前記本発明支持体構造を取り出した状態を示す斜視図である。
【図４】図４（ａ）は、本発明支持体構造の別の実施形態を示す正面図であり、図４（ｂ）はその使用態様を示す正面図である。
【発明を実施するための形態】
【００１４】
以下、本発明の実施形態を説明するが、本発明はこれらの実施形態に限定されるものではない。
【００１５】
［実施形態］
＜本発明支持体構造１＞
図１に、本発明支持体構造１の一実施形態を示す。前記本発明支持体構造１は、一枚の「織布（２）」からなり、前記織布２の外縁に沿って、「布端部始末（３）」が施されている。
【００１６】
‐織布２‐
本発明において、前記織布２は、繊維を織ったり、編んだりすることによってシート状に形成した布体を意味する。本実施形態においては、前記織布２として、ポリエチレン系繊維の平織り布を用いた。又、前記織布２は、人の顔面に貼付させるための顔型を模した形状にカットされており、目に相当する部分及び口に相当する部分に開口部（２Ｅ、２Ｍ）が設けられている。又、顔面に貼付された際に、顔の立体形状に追随し易いように、鼻に相当する部分にＵ字状の切り込み２Ｎが設けられている。
【００１７】
‐布端部始末３‐
本発明において、前記布端部始末３は、前記織布２の外縁に沿って、かがり縫いによる始末（ロック）を行うことによって施される。本実施形態においては、前記布端部始末３につき、９０番手のポリエステルスパン糸を用いた「メロー始末（メローロック）」と称されるかがり縫いを行うことによって施した。又、本実施形態においては、前記布端部始末３を施す際に、前記織布２の外縁を引っ張りながら縫うことによって、カットの後の前記織布２の外縁（６７ｃｍ）を引き伸ばした状態（８３ｃｍ：１２４％の引き伸ばし）としており、これによって前記織布２には波うちが生じている。
【００１８】
＜使用態様＞
図２に、前記本発明支持体構造１の繰り返しの一使用態様を示す。前記本発明支持体構造１は、外用貼付剤１０として皮膚表面に貼付されて使用されるものであり、繰り返しの使用を前提とするものである。
【００１９】
前記本発明支持体構造１を外用貼付剤１０として使用するにあたっては、まず、前記本発明支持体構造１に化粧水等の薬液Ｂを担持させる（Ｓ１）。本実施形態においては、容器５０に薬液Ｂを満たし、この容器５０内に前記本発明支持体構造１を浸漬することによって、薬液Ｂを担持させた。
【００２０】
前記工程により、前記本発明支持体構造１に薬液Ｂが担持された外用貼付剤１０が得られたら、取り出して（Ｓ２）、使用に供する（Ｓ３）。本実施形態に係る前記本発明支持体構造１によって得られた前記外用貼付剤１０は、顔に貼付して使用することを前提とする。
【００２１】
担持させた薬液Ｂの種類に応じた貼付時間が経過すれば、前記外用貼付剤１０は皮膚表面から取り外され（Ｓ４）、洗濯に供される（Ｓ５）。洗濯によって残存する薬液Ｂを洗い流せば、次回の使用に供することができる本発明支持体構造１が得られる。
【００２２】
即ち、前記構成を有する本発明支持体構造１は、薬液Ｂの担持、使用、洗濯といった工程により、外用貼付剤１０としての繰り返しの使用が可能なものである。前記本発明支持体構造１は、一枚の織布２からなるため、構造が簡単で製造コストが非常に安価なものとなる。
【００２３】
また、前記本発明支持体構造１は、外縁に沿って、かがり縫いによる布端部始末３が施されているから外縁の強度が高い。これより、図３に示すように、不使用時に丸めて収納していたとしても、取り出した際に展開し易く、取り扱い上の利便性が高い上、皮膚表面に貼付し易いものとなる。
【００２４】
更に、本実施形態においては、前記織布２に波うちを生じさせることによって、前記本発明支持体構造１に立体感を生じさせ、もって、前記本発明支持体構造１を用いた外用貼付剤１０につき、皮膚表面の凹凸への追随性が良好なものとしている。このように、前記織布２に波うちを生じさせるには、前記布端部始末３を施す際に、前記織布２の外縁を引き伸ばした状態とする他、前記織布２の外縁を縫い縮めても良い。前記織布２に波うちを生じさせるにあたり、前記織布２の外縁を引き伸ばした状態とする場合は、前記織布２の外縁を、１０５〜１４０％（より好ましくは、１１０〜１３０％）とすることが好ましい。一方、前記織布２に波うちを生じさせるにあたり、前記織布２の外縁を縫い縮めた状態とする場合は、前記織布２の外縁を、７０〜９５％（より好ましくは、８０〜９０％）とすることが好ましい。
【００２５】
ところで、本実施形態においては、前記本発明支持体構造１を構築するための織布２につき、ポリエチレン系繊維の平織りを用いたが、前記織布２を構成する繊維や、織り方或いは編み方については特に限定されない。前記織布２は、例えば、ナイロン、ビニロン、ポリエステル、レーヨン、アセテート、アクリル、ポリエチレン、ポリプロピレン、ポリ塩化ビニル等の人工繊維、綿、麻、絹等の天然繊維から選ばれる１種または２種以上の素材を用いて形成することができる。又、織り方としては、例えば、平織り、綾織り、朱子織等を挙げることができ、編み方としては、平編み、リブ編み、両面編み等を挙げることができる。なお、前記織布２の厚さについても特に限定されないが、１００〜２０００μｍ（より好ましくは、２００〜１０００μｍ）とすることが好ましい。
【００２６】
又、本実施形態においては、前記布端部始末３につき、「メロー始末（メローロック）」と称されるかがり縫いにより行っているが、前記布端部始末３を施すためのかがり縫いの種類は特に限定されない。前記かがり縫いの別の例としては、「巻始末（巻ロック）」などを挙げることができる。なお、前記布端部始末３を施すための糸としては、５０〜１００番手（より好ましくは、６０〜９０番手）のサイズのものを用いることが好ましい。又、前記布端部始末３を施すための糸につき、前記織布２と異なる色のものを用いれば、本発明支持体構造１の外縁が視覚的にわかりやすくなるため、より一層取り扱い性が向上するばかりか、デザイン性も向上する。
【００２７】
更に、本実施形態においては、前記本発明支持体構造１につき、顔面に貼付することを前提とするものとしたが、本発明支持体構造１は、顔のみの使用に限定されるものではない。本発明支持体構造１は、例えば、図４（ａ）に示すような形状とし、図４（ｂ）に示すように、首の後ろに貼付して使用されるものとしても良い。
【００２８】
なお、本発明は、その精神又は主要な特徴から逸脱することなく、他のいろいろな形態で実施することができる。そのため、上述の実施例はあらゆる点で単なる例示に過ぎず、限定的に解釈してはならない。本発明の範囲は特許請求の範囲によって示すものであって、明細書本文には何ら拘束されない。更に、特許請求の範囲の均等範囲に属する変形や変更は、すべて本発明の範囲内のものである。
【産業上の利用可能性】
【００２９】
本発明支持体構造は、皮膚表面に貼付されて使用される外用貼付剤の支持体として好適に用いられる。
【符号の説明】
【００３０】
１  本発明支持体構造（支持体構造）
２  織布
３  布端部始末
１０  外用貼付剤
【図１】
2020065628.tif 000003
【図２】
2020065628.tif 000004
【図３】
2020065628.tif 000005
【図４】
2020065628.tif 000006